【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
低コヒーレント光を出射する測定光源と、該測定光源から出射された光の一部の光路長を変化させるために移動可能に配置された光路長変更部材と、受光素子と、を有し、被検眼に低コヒーレント光を照射し、被検眼からの反射光を干渉光として前記受光素子で受光する干渉光学系と、
前記光路長変更部材を移動させる駆動部と、
該駆動部の駆動を制御すると共に、前記受光素子から出力された干渉信号に基づいて被検眼の所定部位の寸法を測定する演算制御手段と、を備える眼寸法測定装置において、
前記演算制御手段は、前記駆動部の駆動を制御して、前記光路長変更部材を往復して移動させ、
前記光路長変更部材が第１の方向に移動されたときに前記受光素子から出力される第１の干渉信号を取得すると共に、前記第１の方向とは反対の第２の方向に前記光路長変更部材が移動されたときに前記受光素子から出力される第２の干渉信号を取得し、
前記第１の干渉信号と前記第２の干渉信号の各干渉信号に基づいて被検眼の所定部位の寸法を各々測定することを特徴とする眼寸法測定装置。
【請求項２】
請求項１の眼寸法測定装置において、
前記演算制御手段は、前記第１の干渉信号の取得後に前記光路長変更部材が前記第２の方向に移動されるとき、前記第１又は第２の干渉信号の少なくともいずれかの取得位置と前記第１の方向の移動の原点位置との中間位置、より好ましくは前記第１又は第２の干渉信号の少なくともいずれかの取得位置の近傍に，前記光路長変更部材の前記第２の方向の移動の限界位置を設定することを特徴とする眼寸法測定装置。
【請求項３】
請求項２の眼寸法測定装置において、前記演算制御手段は、前記駆動部の駆動を制御して、前記第２の干渉信号の取得後に再度前記光路長変更部材を前記第１の方向に移動させ、前記光路長変更部材が再度前記第１の方向に移動されたときに前記受光素子から出力される第３の干渉信号を取得し、前記第３の干渉信号に基づいて被検眼の所定部位の寸法を測定することを特徴とする眼寸法測定装置。
【請求項４】
請求項３の眼寸法測定装置において、
前記演算制御手段は、前記第２の干渉信号の取得後に前記光路長変更部材が前記第１の方向に再度移動されるとき、前記第１〜第３の干渉信号の少なくともいずれかの取得位置と前記第２の方向の移動の原点位置との中間位置、より好ましくは前記第１〜第３の干渉信号の少なくともいずれかの取得位置の近傍に，前記光路長変更部材の前記第１の方向の再度の移動の限界位置を設定することを特徴とする眼寸法測定装置。
【請求項５】
請求項４の眼寸法測定装置において、
測定開始のトリガ信号を出力するトリガ出力手段を有し、
前記演算制御手段は、トリガ信号が出力されると、前記駆動部の駆動を制御して前記光路長変更部材を少なくとも２回以上往復移動させ、前記光路長変更部材が前記第１の方向に移動されたときに前記受光素子から出力される干渉信号と，前記光路長変更部材が前記第２の方向に移動されたときに前記受光素子から出力される干渉信号と，を取得し、各干渉信号に基づいて被検眼の寸法を各々測定することを特徴とする眼寸法測定装置。
【請求項６】
低コヒーレント光を出射する測定光源と、測定光源から出射された光を第１測定光と第２測定光に分割する光分割手段と、前記第１測定光と前記第２測定光を被検眼に照射する照射光学系と、被検眼の角膜で反射された第１測定光と被検眼の眼底で反射された第２測定光を単一の受光素子に導き、第１測定光と第２測定光との干渉信号を得るための受光光学系と、前記第１測定光と前記第２測定光の光路差を調整するための光学部材を光軸方向に移動させる駆動部と、前記駆動部の駆動を制御して前記光学部材を光軸方向に１回往復移動させ、往復移動される前記光学部材の第１の方向への移動中に前記受光素子によって得られる第１干渉信号に基づいて被検眼の第１の眼軸長を算出する一方、往復移動される前記光学部材の第２の方向への移動中に前記受光素子によって得られる第２干渉信号に基づいて被検眼の第２の眼軸長を算出することにより、前記光学部材の１回の往復移動によって眼軸長を２回算出する演算制御手段と、を備えることを特徴とする眼寸法測定装置。
【請求項７】
請求項６の眼寸法測定装置において、前記光学部材の移動位置を検出するための位置検出センサを有し、前記演算制御手段は、前記受光素子から第１干渉信号が出力されたときの光学部材の移動位置に基づいて被検者眼の第１の眼軸長を算出する一方、前記受光素子から第２干渉信号が出力されたときの光学部材の移動位置に基づいて被検者眼の第２の眼軸長を算出することを特徴とする眼寸法測定装置。
【請求項８】
請求項６又は請求項７の眼寸法測定装置において、
測定開始のトリガ信号を出力するトリガ出力手段を有し、
前記演算制御手段は、トリガ信号が出力されると、前記駆動部の駆動を制御して前記光学部材を光軸方向に２回以上往復移動させ、往復移動される前記光学部材の第１の方向への移動中に前記受光素子によって得られる第１干渉信号及び第３干渉信号に基づいて被検眼の第１の眼軸長と第３の眼軸長を算出する一方、往復移動される前記光学部材の第２の方向への移動中に前記受光素子によって得られる第２干渉信号及び第４干渉信号に基づいて被検眼の第２の眼軸長と第４の眼軸長を算出することにより、前記光学部材の２回の往復移動によって眼軸長を４回算出することを特徴とする眼寸法測定装置。
【手続補正２】
【補正対象書類名】明細書
【補正対象項目名】０００８
【補正方法】変更
【補正の内容】
【０００８】
（１）
低コヒーレント光を出射する測定光源と、該測定光源から出射された光の一部の光路長を変化させるために移動可能に配置された光路長変更部材と、受光素子と、を有し、被検眼に低コヒーレント光を照射し、被検眼からの反射光を干渉光として前記受光素子で受光する干渉光学系と、
前記光路長変更部材を移動させる駆動部と、
該駆動部の駆動を制御すると共に、前記受光素子から出力された干渉信号に基づいて被検眼の所定部位の寸法を測定する演算制御手段と、を備える眼寸法測定装置において、
前記演算制御手段は、前記駆動部の駆動を制御して、前記光路長変更部材を往復して移動させ、
前記光路長変更部材が第１の方向に移動されたときに前記受光素子から出力される第１の干渉信号を取得すると共に、前記第１の方向とは反対の第２の方向に前記光路長変更部材が移動されたときに前記受光素子から出力される第２の干渉信号を取得し、
前記第１の干渉信号と前記第２の干渉信号の各干渉信号に基づいて被検眼の所定部位の寸法を各々測定することを特徴とする。
（２）  （１）の眼寸法測定装置において、
前記演算制御手段は、前記第１の干渉信号の取得後に前記光路長変更部材が前記第２の方向に移動されるとき、前記第１又は第２の干渉信号の少なくともいずれかの取得位置と前記第１の方向の移動の原点位置との中間位置、より好ましくは前記第１又は第２の干渉信号の少なくともいずれかの取得位置の近傍に，前記光路長変更部材の前記第２の方向の移動の限界位置を設定することを特徴とする。
（３）  （２）の眼寸法測定装置において、前記演算制御手段は、前記駆動部の駆動を制御して、前記第２の干渉信号の取得後に再度前記光路長変更部材を前記第１の方向に移動させ、前記光路長変更部材が再度前記第１の方向に移動されたときに前記受光素子から出力される第３の干渉信号を取得し、前記第３の干渉信号に基づいて被検眼の所定部位の寸法を測定することを特徴とする。
（４）  （３）の眼寸法測定装置において、
前記演算制御手段は、前記第２の干渉信号の取得後に前記光路長変更部材が前記第１の方向に再度移動されるとき、前記第１〜第３の干渉信号の少なくともいずれかの取得位置と前記第２の方向の移動の原点位置との中間位置、より好ましくは前記第１〜第３の干渉信号の少なくともいずれかの取得位置の近傍に，前記光路長変更部材の前記第１の方向の再度の移動の限界位置を設定することを特徴とする。
（５）  （４）の眼寸法測定装置において、
測定開始のトリガ信号を出力するトリガ出力手段を有し、
前記演算制御手段は、トリガ信号が出力されると、前記駆動部の駆動を制御して前記光路長変更部材を少なくとも２回以上往復移動させ、前記光路長変更部材が前記第１の方向に移動されたときに前記受光素子から出力される干渉信号と，前記光路長変更部材が前記第２の方向に移動されたときに前記受光素子から出力される干渉信号と，を取得し、各干渉信号に基づいて被検眼の寸法を各々測定することを特徴とする。
（６）
低コヒーレント光を出射する測定光源と、測定光源から出射された光を第１測定光と第２測定光に分割する光分割手段と、前記第１測定光と前記第２測定光を被検眼に照射する照射光学系と、被検眼の角膜で反射された第１測定光と被検眼の眼底で反射された第２測定光を単一の受光素子に導き、第１測定光と第２測定光との干渉信号を得るための受光光学系と、前記第１測定光と前記第２測定光の光路差を調整するための光学部材を光軸方向に移動させる駆動部と、前記駆動部の駆動を制御して前記光学部材を光軸方向に１回往復移動させ、往復移動される前記光学部材の第１の方向への移動中に前記受光素子によって得られる第１干渉信号に基づいて被検眼の第１の眼軸長を算出する一方、往復移動される前記光学部材の第２の方向への移動中に前記受光素子によって得られる第２干渉信号に基づいて被検眼の第２の眼軸長を算出することにより、前記光学部材の１回の往復移動によって眼軸長を２回算出する演算制御手段と、を備えることを特徴とする。
（７）  （６）の眼寸法測定装置において、前記光学部材の移動位置を検出するための位置検出センサを有し、前記演算制御手段は、前記受光素子から第１干渉信号が出力されたときの光学部材の移動位置に基づいて被検者眼の第１の眼軸長を算出する一方、前記受光素子から第２干渉信号が出力されたときの光学部材の移動位置に基づいて被検者眼の第２の眼軸長を算出することを特徴とする。
（８）  （６）又は（７）の眼寸法測定装置において、
測定開始のトリガ信号を出力するトリガ出力手段を有し、
前記演算制御手段は、トリガ信号が出力されると、前記駆動部の駆動を制御して前記光学部材を光軸方向に２回以上往復移動させ、往復移動される前記光学部材の第１の方向への移動中に前記受光素子によって得られる第１干渉信号及び第３干渉信号に基づいて被検眼の第１の眼軸長と第３の眼軸長を算出する一方、往復移動される前記光学部材の第２の方向への移動中に前記受光素子によって得られる第２干渉信号及び第４干渉信号に基づいて被検眼の第２の眼軸長と第４の眼軸長を算出することにより、前記光学部材の２回の往復移動によって眼軸長を４回算出することを特徴とする。